(57)【要約】【課題】  通常のカラー画像と蛍光画像の混在画像を印刷媒体に印刷する場合に、蛍光色の視認性を高くした再現が可能な画像形成装置を提供する。【解決手段】  蛍光色を含むカラー画像データを受信する受信部と、可視光照射により記録媒体上で視認できる色材を用いて印刷するための画像データを生成する第１の画像データ生成部と、紫外線照射により第１の発光強度を有する第１の蛍光インクを用いて印刷するための画像データを生成する第２の画像データ生成部と、前記紫外線照射により前記第１の発光強度より高い発光強度を有する第２の蛍光インクを用いて印刷するための画像データを生成する第３の画像データ生成部と、前記記録媒体上で視認できる色材の塗布されていない領域を中心に前記第１の蛍光インクを塗布し前記記録媒体上で視認できる色材の塗布されている領域を中心に前記第２の蛍光インク塗布する印字部とを備える画像形成装置。【選択図】  図２
2014141041.tif 000002
【特許請求の範囲】
【請求項１】
蛍光色を含むカラー画像データを受信する受信部と、
前記カラー画像データから可視光照射により記録媒体上で視認できる色材を用いて印刷するための画像データを生成する第１の画像データ生成部と、
前記カラー画像データから紫外線照射により第１の発光強度を有する第１の蛍光インクを用いて印刷するための画像データを記録媒体上の同一位置に記録される第１の画像データ生成部によって作成された第１の画像データに応じて生成する第２の画像データ生成部と、
前記カラー画像データから前記紫外線照射により前記第１の発光強度より高い発光強度を有する第２の蛍光インクを用いて印刷するための画像データを記録媒体上の同一位置に記録される第１の画像データ生成部によって作成された第１の画像データに応じて生成する第３の画像データ生成部と、
前記記録媒体上で視認できる色材の塗布されていない領域を中心に前記第１の蛍光インクを塗布し前記記録媒体上で視認できる色材の塗布されている領域を中心に前記第２の蛍光インク塗布する印字部と
を備えることを特徴とする画像形成装置。
【請求項２】
前記第２の画像データ生成部および前記第３の画像データ生成部は、記録媒体上の同一位置に記録される第１の画像データ生成部によって作成された画像データから求められる分光反射率に応じて画像データを作成することを特徴とする画像記録装置請求項１に記載の画像形成装置。
【請求項３】
前記第２の画像データ生成部および前記第３の画像データ生成部は、記録媒体上の同一位置に記録される第１の画像データ生成部によって作成された画像データの各チャネルの値の総和に応じて画像データを作成することを特徴とする請求項１に記載の画像形成装置。
【請求項４】
蛍光色を含むカラー画像データを受信する受信部と、
前記カラー画像データから可視光照射により記録媒体上で視認できる色材を用いて印刷するための画像データを生成する第１の画像データ生成部と、
前記カラー画像データから紫外線照射により第１の発光強度を有する第１の蛍光インクを用いて印刷するための画像データを記録媒体上の同一位置に記録される第１の画像データ生成部によって作成された第１の画像データに応じて生成する第２の画像データ生成部と、
前記カラー画像データから前記紫外線照射により前記第１の発光強度より高い発光強度を有する第２の蛍光インクを用いて印刷するための画像データを記録媒体上の同一位置に記録される第１の画像データ生成部によって作成された第１の画像データに応じて生成する第３の画像データ生成部と、
前記第１の画像データ乃至第３の画像データを受信して記録媒体上で視認できる色材と第１の蛍光インクと第２の蛍光インクとを用いた画像を形成する画像形成部と、
前記記録媒体上で視認できる色材の塗布されていない領域に前記第１の蛍光インクを塗布し前記記録媒体上で視認できる色材の塗布されている領域に前記第２の蛍光インク塗布する印字部と
を備えることを特徴とする画像形成装置。
【請求項５】
蛍光色を含むカラー画像データを受信し、
前記カラー画像データから可視光照射により記録媒体上で視認できる色材を用いて印刷するための画像データを生成し、
前記カラー画像データから紫外線照射により第１の発光強度を有する第１の蛍光インクを用いて印刷するための画像データを記録媒体上の同一位置に記録される第１の画像データ生成部によって作成された第１の画像データに応じて生成し、
前記カラー画像データから前記紫外線照射により前記第１の発光強度より高い発光強度を有する第２の蛍光インクを用いて印刷するための画像データを記録媒体上の同一位置に記録される第１の画像データ生成部によって作成された第１の画像データに応じて生成し、
前記記録媒体上で視認できる色材の塗布されていない領域に前記第１の蛍光インクを塗布し前記記録媒体上で視認できる色材の塗布されている領域に前記第２の蛍光インク塗布することを特徴とする画像形成方法。
【発明の詳細な説明】
【技術分野】
【０００１】
本発明の実施形態は、視認性が高い蛍光色の再現が可能な画像形成装置およびその画像処理方法に関する。
【背景技術】
【０００２】
通常のカラー画像に蛍光色画像が混在する画像を再現するために、カラー各色（ＣＭＹＫ）のプロセスインクに加えて励起光を照射すると視認できる蛍光インクとを併用する印刷がある。
しかし、このプロセスインク画像と蛍光インク画像とを単純に重ねて印字した場合、２種類のインクの重なった部分に励起光を照射しても蛍光画像は視認できない。
【０００３】
そこで、プロセスインク画像と重なった部分により多くの蛍光インクを重ねて記録することで励起光の照射による発光が確認できるようになる反面、プロセスインクとの重なり部分の印字媒体が波打ちや印字媒体上でのインクのにじみにより画質の低下が発生する。
【０００４】
上述した印刷媒体の波打ちやインクのにじみを解消するために、たとえば蛍光インクとプロセスインクの総量を固定して相対的に蛍光インクを減少させる方法が考えられる。
しかし、この方法では蛍光インクの発光をも抑えてしまうため、蛍光画像の視認性の確保にはつながらない。
【先行技術文献】
【特許文献】
【０００５】
【特許文献１】特開２００５−７５９０公報
【発明の概要】
【発明が解決しようとする課題】
【０００６】
この発明が解決しようとする課題は、通常のカラー画像と蛍光画像の混在画像を印刷媒体に印刷する場合に、蛍光色の視認性を高くした再現が可能な画像形成装置を提供することである。
【課題を解決するための手段】
【０００７】
前記目的を達成するために、本発明による画像形成装置は、蛍光色を含むカラー画像データを受信する受信部と、前記カラー画像データから可視光照射により記録媒体上で視認できる色材を用いて印刷するための画像データを生成する第１の画像データ生成部と、前記カラー画像データから紫外線照射により第１の発光強度を有する第１の蛍光インクを用いて印刷するための画像データを記録媒体上の同一位置に記録される第１の画像データ生成部によって作成された第１の画像データに応じて生成する第２の画像データ生成部と、前記カラー画像データから前記紫外線照射により前記第１の発光強度より高い発光強度を有する第２の蛍光インクを用いて印刷するための画像データを記録媒体上の同一位置に記録される第１の画像データ生成部によって作成された第１の画像データに応じて生成する第３の画像データ生成部と、前記記録媒体上で視認できる色材の塗布されていない領域を中心に前記第１の蛍光インクを塗布し前記記録媒体上で視認できる色材の塗布されている領域を中心に前記第２の蛍光インク塗布する印字部とを備える。
【図面の簡単な説明】
【０００８】
【図１】本実施形態に係る画像形成装置の構成図。
【図２】各色画像データ生成部の構成を示すブロック図。
【図３】プロセスインクと蛍光インクの重ね合わせを模式的に示す図。
【図４】２種類の蛍光インクの分光特性を示す図。
【図５】各色画像データ生成部の工程を示すフローチャート。
【図６】プロセスインクデータに用いる変換曲線を示す図。
【図７】蛍光インクデータに用いる変換曲線を示す図。
【図８】インクジェットヘッドの動作を説明するための模式図。
【図９】プロセスインクと２種の蛍光インクの印字領域を説明するための図。
【図１０】蛍光インクデータに用いる変換テーブルを示す図。
【発明を実施するための形態】
【０００９】
（第１の実施の形態）
以下、実施の形態について図１乃至図９を参照して説明する。
【００１０】
以下、本発明をカラー複合機に応用した実施形態を示す。図１は、インクジェット画像形成装置を用いたＭＦＰ（複合機）に関する一般的なシステム構成を簡易的に示すものである。
【００１１】
複合機１００は、主制御部１０１、スキャナ部１０２、プリンタ部１０３、及び操作パネル１０４を有する。
【００１２】
図１に示す共有バス１１１は、後述する各部のＣＰＵ（Central Processing Unit）等を接続し、これによりＣＰＵを介したプログラムＩ／Ｏ転送、あるいは周辺デバイスがバスマスタとしてバスを制御し、直接メモリなどにアクセスするバスマスタによるデータ転送が可能である。
【００１３】
主制御部１０１は、メインＣＰＵ１１０、記憶部１１２、画像処理部１１６、ページメモリ制御部１１７、及びページメモリ１１８を有する。
【００１４】
メインＣＰＵ１１０は、主制御部１０１全体の制御を司るものである。
【００１５】
記憶部１１２は、メインＣＰＵ１１０と後述するプリンタ部１０３のプリンタＣＰＵ１３０の間で、双方向通信を行い、メインＣＰＵ１１０の制御プログラムや各種データを記憶する。記憶部１１２は、読み取り専用メモリ（以下ＲＯＭ）ならびに書き換え可能メモリ（以下ＲＡＭ）の集合体であり、本実施形態の手順を実施するためのプログラムや固定データとともに、実施形態の手順を実施する過程で生成されたり変化したりするデータを記憶する。
【００１６】
画像処理部１１６は、後述するスキャナ部１０２あるいはクライアント端末から入力された画像の処理を行う。ページメモリ制御部１１７は、ページメモリ１１８に対して画像情報を記憶させたり、読み出したりするものである。ページメモリ１１８は、複数ページ分の画像情報を記憶できる領域を有し、スキャナ部１０２からの画像情報を圧縮したデータを１ページごとに記憶可能に形成されている。
【００１７】
操作パネル１０４は、各種操作キー１４１、ソフトキー（タッチパネル）を有する液晶表示部１４２、及びこれらが接続されたパネルＣＰＵ１４０を有しており、後述するパラメータ変更の操作をここからユーザが行う。パネルＣＰＵ１４０は、メインＣＰＵ１１０に接続される。操作キー１４１あるいは液晶表示部１４２のソフトキー等から各種命令が入力され、パネルＣＰＵ１４０からメインＣＰＵ１１０に送信される。
【００１８】
画像読取部であるスキャナ部１０２は、メインＣＰＵ１１０と接続されその制御の下にスキャナ部１０２の制御を司るスキャナＣＰＵ１２０、制御プログラム及び各種データを記憶されている記憶部１２２、原稿等を読取るためのＣＣＤ等のラインセンサを駆動するＣＣＤドライバ１２３と、ラインセンサ、露光ランプ及びミラーなどを搭載したキャリッジ（図示せず）を移動する走査モータの回転を制御する走査モータドライバ１２４、画像認識部１２５、及び画像補正部１２６を有する。
【００１９】
図１に示すプリンタ部１０３は、例えば、従来周知の構成を有しており、プリンタＣＰＵ１３０、記憶部１３２、インクジェットエンジン１３３、ヘッドユニット制御部１３４、搬送制御部１３５、プロセス制御部１３６を有する。なお、以下に説明する周知構成については、図示しない。
【００２０】
プリンタＣＰＵ１３０は、メインＣＰＵ１１０と接続されその制御の下にプリンタ部１０３全体の制御を司る。
記憶部１３２は、制御プログラム及び各種データを記憶する。
インクジェットエンジンは、例えば、電圧を加えて変形する素子（ピエゾ素子）を用い、その変形によりヘッド内のインク収納スペースを増加/減少させ、この圧力によりインク滴を吐出させる。インク滴を吐出させる構成は、これに限らず、他の周知の方法も利用できる。
【００２１】
ヘッドユニット制御部１３４は、複数のノズルをもつヘッドユニットを駆動し、主走査方向の着弾点を制御する。
【００２２】
搬送制御部１３５は、各種ローラの駆動モータを制御して、周知の用紙カセットに収容されている記録媒体を用紙カセットから用紙搬送路に沿っての搬送を制御する。
【００２３】
プロセス制御部１３６は、周知の加圧器、ヘッドユニット制御部および搬送制御部を制御し、入力された２種類の蛍光インクを含む各色インクの画像データにしたがってインク
の色とインク量とを調整する。
【００２４】
以下、蛍光色処理を含む画像処理の流れについて説明する。
【００２５】
画像はたとえばパーソナルコンピュータ（以下ＰＣ）などの外部端末から図示しないインターフェース（以下Ｉ／Ｆ）を介して画像データ送信開始信号を受信すると、ページメモリ１１８内に画像取り込み処理が行われる。フォトレタッチソフト等で作成された色インク画像データと蛍光画像データを前記Ｉ／Ｆを介して受信し、それぞれ記憶部１１２を構成するＲＡＭ内の第１の画像エリア及び第２の画像エリアにそれぞれ１ページ分の有色画像データ及び蛍光画像データを格納する。なお、このデータは画像のサイズをも含んでいる。
【００２６】
画像処理画像取り込み処理終了後に、メインＣＰＵ１１０は図２に示すデータの流れにしたがって蛍光インクデータの算出を行う。
【００２７】
ＰＣなどの外部端末２０１から色インクＣＭＹＫ（Cyan、Magenta、Yellow、Black）の画像データと蛍光色Ｆの画像データとを供給する。色インクＣＭＹＫの代わりにＲＧＢの加法混色による信号を与える場合もあるが、説明の簡略化を図るため、以下色インクＣＭＹＫで与えられた場合を例にとって説明する。また、蛍光色Ｆの画像データＤｆは０か１で表される２値、あるいは０から２５５などで表される多値で与えられる。
【００２８】
外部端末２０１より与えられたＣＭＹＫの各色画像データと蛍光色データＤｆとを第１の画像データ生成部２０２に供給して第１の印字部に供給する各色インク量データＩｃ、Ｉｍ、Ｉｙ、Ｉｋを得る。さらに、各インク量データＩｃ、Ｉｍ、Ｉｙ、Ｉｋを第２の画像データ生成部２０３および第３の画像データ生成部２０４に供給して第１の蛍光インクＦ１と第２の蛍光インクＦ２との各インクのインク量データＩｆ１、およびＩｆ２を求める。
【００２９】
２図の例では第１の蛍光インクＦ１と第２の蛍光インクＦ２との各インクのインク量データＩｆ１、およびＩｆ２を並行して求める例を示したが、第１の蛍光インクＦ１のインク量データＩｆ１を求めた後に第２の蛍光インクＦ２のインク量データＩｆ２を求めてもよい。
【００３０】
図３はインクの重ね合わせについて模式的に表した図である。また、図４に発光強度の異なる２種類の蛍光インクの分光特性を示す。図４から明らかなように、第２の蛍光インクの発光強度Ｖ２は、第１の蛍光インクの発光強度Ｖ１より強い。本実施形態においてはこの第１および第２の蛍光インクを用いて、図３に示すように、発光強度が強い第２の蛍光インクＦ２を各色ＣＭＹＫインク上に重ねて、ＣＭＹＫインクが塗布されていない画素に対して発光強度が弱めの第１の蛍光インクＦ１が塗布される。
【００３１】
各色インクＣＭＹＫの画像データ量に応じた蛍光インクデータを図５のフローチャートに示す手順により算出する。ＣＰＵからの命令にしたがって色インクデータならびに蛍光色インクデータはファイル形式などで受信する（５０１、５０２）。まず、印刷に使用される各色インクＣＭＹＫの色材の使用量に応じた分光反射率データからＣＭＹＫ吸収を含む発光強度Ｖ‘とＣＭＹＫ吸収を含まない発光強度Ｖｗ’とを算出し（５０３）、既処理画素数に０をセットしたうえで（５０４）各色のインク量を算出する（５０５）。この分光反射率データは測定器により予め１０ｎｍ毎の各波長において使用量に応じた分光反射率を測定し、ルックアップテーブルデータとして作成する。分光反射率ルックアップテーブルデータは予め記憶部１１２のＲＯＭ内に各波長の分光反射率がＣＭＹＫ４色分用意されており、このテーブルを元に、記録媒体上に印刷される各色インクＣＭＹＫ４色それぞれの分光反射率をテーブル値の補間計算で求める。その後、波長ごとに各色インクＣＭＹＫそれぞれの分光反射率を乗算して印刷される各色ＣＭＹＫ画像の画素データの分光反射率を求める。
【００３２】
ここでさらに、蛍光発光強度の補正係数を求める。この実施形態において前記補正係数は、印刷される各色ＣＭＹＫの反射率の分光分布に応じて吸収された後の蛍光インク発光強度と各色ＣＭＹＫに吸収されなかった時の蛍光インクの発光強度の比を用いて算出する。蛍光インクの発光強度は、第１の蛍光インクを記録媒体上に使用量１００％で塗布した印刷物を可視領域（３８０ｎｍから７８０ｎｍまで）の１０ｎｍ毎の各波長における発光強度を測定器により予め測定し、その測定結果をルックアップテーブルとして予め記憶部１１２を構成するＲＯＭ内に格納しておく。
【００３３】
以下、蛍光インクを使用した画素の蛍光インク量の算出方法について説明する。
【００３４】
まず、印刷される各色インクＣＭＹＫの分光反射率に応じて吸収された後の蛍光インクＦの発光強度Ｖを次に示す数式１により求める。
【数１】
2014141041.tif 000003
ここで、ＲcmykはＣＭＹＫ４色のインクが重なる部分の分光反射率、Ｌｆ１は第１の蛍光インクＦ１（図４参照）の分光分布特性を表す。
次に各色インクＣＭＹＫに吸収されなかった時、すなわち記録媒体単体での吸収分を加味した蛍光インクの発光強度Ｖｗを次式により求める。
【数２】
2014141041.tif 000004
また、各色インクＣＭＹＫのインク量がすべて０の場合は記録媒体上に各色インクＣＭＹＫが印字されていない状態であるため、ＶはＶｗの値に等しくなる。
【００３５】
さらにメモリ量や計算負荷を低減させるため、たとえば以下に示すように１０ｎｍごとに刻んで蛍光インクの発光強度を求め、前記１０ｎｍごとの発光強度の可視領域における総和を求めることに代えてＶ’およびＶｗ’を算出する。 
【数３】
2014141041.tif 000005
【数４】
2014141041.tif 000006
上述の操作により求めたＶ’およびＶｗ’から、補正後の蛍光画像の第１の蛍光インクの画像データＤｆ１を次式で求める（５０６）。
【数５】
2014141041.tif 000007
ここで、Ｄｆは端末より供給された蛍光画像データ、そしてｋは定数を表す。
【００３６】
蛍光画像補正処理終了後に階調補正処理が行われ、補正後のデータは再度記憶部１１２のＲＡＭ内に格納される。ＲＡＭ内に格納されている各色ＣＭＹＫデータと同様ＲＡＭに格納されている補正蛍光画像の第１の蛍光色インクの画像データＤｆ１を読み込む。各色ＣＭＹＫデータＤｃＤｍＤｙＤｋに対しては図６に示す変換曲線を使用して各色のインク量データＩｃＩｍＩｙＩｋが作成される。図６の変換曲線は各色ＣＭＹＫそれぞれに対して１つの変換曲線が割り当てられており、それによってＤｃをＩｃに、ＤｍをＩｍに、ＤｙをＩｙに、ＤｋをＩｋに変換している。
【００３７】
次に第１の蛍光色インクの画像データＤｆ１に対しては図６に示す変換曲線を使用して補正後の第１の蛍光インクのインク量データＩｆ１、および補正後の第２の蛍光インクの画像データＩｆ２を生成する（５０７）。図７の変換曲線は第１の蛍光色Ｆ１に対してＩｆ１用のＴｙｐｅ１と第２の蛍光色Ｆ２に対してＩｆ２用のＴｙｐｅ２の２つの変換曲線が割り当てられ、それらによってＤｆ１をＩｆ１とＩｆ２とに変換している。この変換曲線は入力されるＤｆ１の値がｋ＊Ｆ以下の場合、Ｉｆ２が０でありＩｆ１のみ正の値になる特徴を持っている。このため、同一位置に各色ＣＭＹＫの画素が存在しない、つまり媒体上に各色ＣＭＹＫの画素と蛍光インクの画素が重ならない場所においては、第１の蛍光インクのみを使用し、第２の蛍光インクが使用されないことを示す。また、第１の蛍光色インクの画像データＤｆ１の値がｋ＊Ｆより大きい場合、Ｉｆ２が順次増加するが、Ｉｆ１は減少することにより第１の蛍光インクと第２の蛍光インクの画像データの総量を一定の値以下に抑えている。
【００３８】
なお、変換曲線は具体的にはテーブル構成になっており、Ｔｙｐｅ１に対応する補正後の第１の蛍光色インクＦ１のインク量データＩｆ１用変換テーブルと、Ｔｙｐｅ２に対応する補正後の第２の蛍光色インクＦ２のインク量データＩｆ２用変換テーブルの２つが予めＲＯＭ内に格納されている。これにより、Ｄｆ１の値に応じてテーブル値の補間演算を行う事により、Ｉｆ１、Ｉｆ２の両者を算出することが可能になる。
【００３９】
上記変換処理を全画素において行い（５０８、５０９）、変換後の各色のインクＣＭＹＫのインク量データＩｃＩｍＩｙＩｋ、第１および第２の蛍光インクＦ１Ｆ２のインク量データＩｆ１Ｉｆ２をＲＡＭ内に順次格納する（５１０）。
【００４０】
以下、記録媒体への印字について説明する。図８はインクジェットヘッドの動作を説明するための模式図である。まず、記憶部１１２のＲＡＭに格納された各色インクのインク量データをプリンタＣＰＵ１３０が受信し、インクジェットエンジン１３３とヘッドユニット制御部１３４との動作を制御する。プリンタＣＰＵ１３０からの命令にしたがってインクジェットヘッド７００が記録媒体にインクを吐出する。このインクジェットヘッド７００は第１の印字部は第１の印字部７０１、第２の印字部７０２、第３の印字部７０３を持ち、ＲＡＭからのデータにしたがって画像を記録媒体上に印字する。
【００４１】
図９はプロセスインクと２種の蛍光インクの印字領域を説明するための図である。この図に示すように第１の印字部７０１にて各色のインクＣＭＹＫをまず記録媒体に印字する。続けて、第２の印字部７０２により第１の蛍光色インクＦ１をＣＭＹＫのインクが塗布されていない領域を中心にして印字し、さらに第３の印字部７０３により第２の蛍光色インクＦ２をすでにＣＭＹＫのインクが塗布されている領域を中心にして重ねて印字する。
【００４２】
以上のようにして蛍光色の視認性を高くした再現が可能な画像形成装置を提供することが可能となる。
【００４３】
以下、第２の実施の形態について説明する。
（第２の実施の形態）
この実施の形態の装置の構成自体は第１の実施の形態と同様なので省略し、相違する部分についてのみ説明する。
【００４４】
記憶部１１２のＲＡＭに格納された各色ＣＭＹＫ画像の画像データと蛍光画像の画像データを予め記憶部１１２のＲＯＭ内に用意した階調補正テーブルに基づいて変換を行う。この階調補正テーブルは各色Ｃ、Ｍ、Ｙ、Ｋ、および蛍光色Ｆそれぞれにテーブルが用意され、それぞれのテーブルに従って変換を行う。
【００４５】
蛍光画像補正処理について、以下説明する。
図１０に示す予めＲＯＭ内に格納されている第１の蛍光インクのインク量データＩｆ１用２次元テーブルと第２の蛍光インクのインク量データＩｆ２用２次元テーブルを利用してＩｆ１、Ｉｆ２を算出する。Ｉｆ１用２次元テーブルは、第１の蛍光インクの分光反射率と各色ＣＭＹＫ画像データの分光反射率を考慮して予め作成され、蛍光画像データＩｆに対する第１の蛍光インクＦ１の値が記載されている。Ｉｆ２用２次元テーブルは、第２の蛍光インクＦ２の分光反射率と各色ＣＭＹＫ画像データの分光反射率を考慮して作成され、蛍光画像データＩｆに対する第２の蛍光インクＦ２の値が記載されている。
【００４６】
予め作成される蛍光色インクＦ１、およびＦ２の各テーブルについては印刷に使用されるＣＭＹＫの色材の使用量での分光反射率を求め、第１の蛍光インクＦ１の発光強度の減少率を求め、その減少を補償するべく第２の蛍光インクＦ２を使用するテーブルを作成する。また、インク使用量（記録媒体への付着量）増大による印刷媒体の波打ちや、印刷媒体上でインクのにじみを防ぐため、第１の蛍光インクＦ１の使用量を減らすテーブルを作成する。これらの作成においては、第１の実施の形態と同様にモデル式による計算による求め方でもよいし、実験的に求めることをしてもよい。
【００４７】
蛍光画像補正処理は、まずＲＡＭに格納されているＩｃ,Ｉｍ,Ｉｙ,Ｉｋ,Ｉｆインク量データを読み込み、次式を用いて通常インクの総和Ｘを算出する。
【数６】
2014141041.tif 000008
このＸとＩｆの値からＩｆ１用２次元テーブルを参照してＩｆ１データを、Ｉｆ２用２次元テーブルを参照してＩｆ２データを算出する。そして、算出されたＩｆ１、Ｉｆ２とインク量データＩｃ,Ｉｍ,Ｉｙ,Ｉｋ,ＩｆとをＲＡＭに格納する。
【００４８】
この実施の形態では、画像形成装置内での計算量を少なくさせることで高速処理が可能になり、装置の処理速度向上を図れる。
【００４９】
次に、第３の実施の形態について以下説明する。
（第３の実施の形態）
第３の実施の形態も全体構成は第１の実施の形態と同じである。
【００５０】
画像処理装置の動作は次に示す通り。
この実施の形態では第２の実施の形態のように階調処理を画像処理部で行わず、階調補正処理終了後に印刷処理を行う。
【００５１】
ＲＡＭ内に格納されているＩｃ,Ｉｍ,Ｉｙ,Ｉｋ,Ｉｆ１，Ｉｆ２のインク量データのうち、プロセスインクＣＭＹＫに係るＩｃ,Ｉｍ,Ｉｙ,Ｉｋ,Ｉｆを第１の印字部７０１へ、第１の蛍光インクＦ１に係るＩｆ１を第２の印字部７０２へ、第２の蛍光インクＦ２に係るＩｆ２を第３の印字部７０３へそれぞれメインＣＰＵ１１０の指示に従い送信する。以下、全画素に対して、データ処理および送信を実行し、終了する。
【００５２】
第１の印字部７０１、第２の印字部、第３の印字部は、すべての画素を受信したならば、記憶部１３２に格納されている階調パターンテーブルに従って対象画素をＯＮにするかＯＦＦにするかを決定する階調処理を行ったうえで、印刷媒体704を搬送し印刷を開始する。画像の印字は第１の印字部７０１、第２の印字部７０２、第３の印字部７０３と順次行われ、それぞれ記録媒体７０４の位置とをヘッドユニット制御部１３４と搬送制御部１３５とを駆使して印刷開始を制御することにより同一画素の印刷位置を合わせて印字する。
【００５３】
この実施の形態では、各印字部７０１乃至７０３の特徴に合わせた階調処理を各印字部で自由に選択できることができ、画像処理部の修正を行わなくても印刷画質が向上する。
【００５４】
以上説明した少なくとも一つの実施形態の画像形成装置によれば、可視光照射により記録媒体上で視認できる色材と、紫外線照射により第１の発光強度を有する第１の蛍光インクと、紫外線照射により前記第１の発光強度より高い発光強度を有する第２の蛍光インクとを用いて、前記記録媒体上で視認できる色材の塗布されていない領域を中心に前記第１の蛍光インクを塗布し前記記録媒体上で視認できる色材の塗布されている領域を中心に前記第２の蛍光インク塗布することで、通常のカラー画像と蛍光画像の混在画像を印刷媒体 に印刷する場合に蛍光色の視認性を高くした再現が可能となる。
【００５５】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５６】
１００…複合機（ＭＦＰ）
１１０…メインＣＰＵ
１０３…プリンタ部
１３０…プリンタＣＰＵ
１３１…インクジェットエンジン
１３２…記憶部
１３３…インクジェットエンジン
１３４…ヘッドユニット制御部
１３５…プロセス制御部
２０２…第１の画像データ生成部
２０３…第２の画像データ生成部
２０４…第３の画像データ生成部
７０１…第１の印字部
７０２…第２の印字部
７０３…第３の印字部
【図１】
2014141041.tif 000009
【図２】
2014141041.tif 000010
【図３】
2014141041.tif 000011
【図４】
2014141041.tif 000012
【図５】
2014141041.tif 000013
【図６】
2014141041.tif 000014
【図７】
2014141041.tif 000015
【図８】
2014141041.tif 000016
【図９】
2014141041.tif 000017
【図１０】
2014141041.tif 000018